(57)【要約】      （修正有）【課題】通常の画面サイズに容易に拡大できる画面伸縮型スマートフォン及びタブレットを提供する。【解決手段】屈曲性を有するプラスチックフィルム等により構成されたフレキシブル表示部又はタッチパネルを搭載したスマートフォン及びタブレットにおいて、表示部の１部を外出し画面とし、その面をＵ字の１辺とする外出し画面と、それに連続する残りの表示部をＵ字状に曲げ込み、外出し画面を筺体外に引き出し及び押し戻し可能なスライド構造により筺体内に収納し、その筺体に表示部全体がスライド可能なＵ字状のスライド溝を設け、外出し画面部の表示部に続く残りの表示部のＵ字状曲げ部に対して、その逆端側から、外出し画面部が筺体外に引き出せる開口部を筺体及びＵ字状のスライド溝に設け、外出し画面部の引き出し後に筺体外出し画面部に外出し画面部の引き出し動作に連動して装置内部に収納されている表示部を引き出し保持する空間を有する構成とする。【選択図】図３
2014072884.tif 000002
【特許請求の範囲】
【請求項１】
屈曲性を有するプラスチックフィルム等により構成されたフレキシブル表示部又は、タッチパネルを有するフレキシブル表示部を搭載したスマートフォン及びタブレットの装置において、前記表示部の１部を外出し画面とし筺体外面に露出させ、その面をＵ字の１辺とする外出し画面の表示部と、それに続く残りの表示部をＵ字状に曲げ込み、外出し画面を筺体外に引き出し又は、押し戻し可能なスライド構造により筺体内に収納し、その筺体に前記Ｕ字状に曲げた表示部全体がスライド可能なＵ字状のスライド溝を設け、前記Ｕ字状曲げ部に対して、その逆端側から、外出し画面部が筺体外に引き出せる開口部を筺体及びＵ字状のスライド溝に設け、外出し画面引き出し後の筺体外出し画面部位置に外出し画面の引き出し動作に連動して装置内部に収納されている表示部を引き出し保持する空間を有する構造とすることにより外出し画面部が伸縮出来ることを特徴とする画面伸縮型スマートフォン及び画面伸縮型タブレット。
【請求項２】
フレキシブル表示部又は、タッチパネルを有するフレキシブル表示部の１部を外出し画面とし、その背面部にタッチパネル操作負荷に耐え得る保持部とスライド部を形成する硬質部材を有し、Ｕ字曲げ部と共に筺体内に収納された残りの表示部背面部には、それを保持しスライド部を形成する前記硬質部材に連結し、それと同じ厚さのＵ字形状曲げが可能なフレキシブル部材を有する表示部を外出し画面部が筺体外に引き出せる開口部を筺体及びＵ字状のスライド溝に設けた筺体にスライド可能に組み込み、外出し画面部を引き出し、画面拡大を完了した位置にてスライド溝と平行状態を維持する為に硬質部材のスライド部の一部が筺体スライド溝部に残る位置関係とし、外出し画面部引き出し後に空間となる筺体の外出し画面部に筺体内に収納されていた背面にフレキシブル部材を有する表示部を外出し画面の引き出し動作に連続して引き出し保持する平面部を引き出し前の外出し画面背面の硬質部材部に対面する筺体上シャーシに設けた構造とすることにより筺体外に引き出した外出し画面と筺体外出し画面部に引き出された表示部が合わさり同一平面の拡大した外出し画面を形成することを特徴とする請求項１の画面伸縮型スマートフォン及び画面伸縮型タブレット。
【請求項３】
外出し画面の表示部と硬質部材は、接着材等により固定しスライド可能にスライド溝に嵌め込み、Ｕ字曲げ部を含む筺体内に収納された表示部と、その背面に設けたフレキシブル部材間は、曲げ易くする為に接着せずに個別パーツとし積み重ね状態にてスライド可能にスライド溝に嵌め込み保持する構造とし、軽い引き出し又は押し込み力により外出し画面の伸縮操作が行えることを特徴とする請求項２の画面伸縮型スマートフォン及び画面伸縮型タブレット。
【請求項４】
外出し画面部のフレキシブル表示部とその背面に設けた硬質部材を除く、前記表示部と繋がるＵ字曲げ部を含む筺体内に収納された残りのフレキシブル表示部の背面に設けた前記硬質部材に連結した同じ厚さのフレキシブル部材のスライド方向に平行な両端部に穴または、凹部を連続的に複数設けラックとし、Ｕ字状に曲げられたフレキシブル表示部の背面に設けたフレキシブル部材の内側円弧の中心部に回転軸を設け、その軸の両端側の前記ラックと噛み合う位置に完全固定されたピニオンを設け、そのピニオンは前記Ｕ字状に曲げられたフレキシブル表示部のフレキシブル部材の略半円形状の内側円弧面に接する円盤とその円盤の外周に設けた複数のピン又は凸部により形成され前記ラックのＵ字曲げ部の複数の送り穴または、凹部が噛み合う構造とすることにより、外出し画面の伸縮動作を滑らかに行うことができることを特徴とする請求項１〜３の画面伸縮型スマートフォン及び画面伸縮型タブレット。
【請求項５】
Ｕ字状に曲げられたフレキシブルの表示部の円弧の中心部に設けられた回転軸部にゼンマイバネを設け、その軸にゼンマイバネの巻き中心端部を固定し他端を筺体シャーシに固定し、ゼンマイバネの巻き方向は、収納されている表示部を引き出す時の回転軸の回転にてゼンマイバネ力が蓄積される方向に取り付けられている構造とし、そのバネ力により拡大した画面を自動的に縮小又は、拡大した画面の縮小動作力をアシストすることを特徴とする請求項１〜４の画面伸縮型スマートフォン及び画面伸縮型タブレット。
【請求項６】
外出し画面の表示部を保持する硬質部材の外出し画面の引き出し側の背面に画面縮小時のロック用凹を、その逆側の表示のＵ字曲げ部側に画面拡大時のロック用凹部を設け、それと対面する筺体シャーシの外出し画面引き出し側に設けた凹部にトーションバネ力により飛び出すロック爪を設け、画面拡大時と縮小時の位置にて前記凹部にロック爪が嵌まり込む関係とし、前記２箇所の嵌め合い位置により異なるゼンマイバネ力に対応して、外出し画面部の保持力を得ることが出来る異なる形状の２箇所の凹部を前記硬質部材に設けた構造の簡易ロック機構を有することを特徴とする請求項１〜５の画面伸縮型スマートフォン及び画面伸縮型タブレット。
【請求項７】
フレキシブル表示部あるいは、タッチパネルを有するフレキシブル表示部の１部を外出し画面として筺体外面に露出させ、その外出し画面部は、筺体外面と平行に筺体外に引き出し可能に収納され、前記外出し画面に連続する残りのフレキシブル表示部は、巻き取り及び、巻き戻し可能に巻き取り軸に巻かれ外出し画面引き出し側の逆端部の筺体に収納し、筺体は、外出し画面部がスライド可能なスライド溝を有し、外出し画面に連続する残りのフレキシブル表示部の巻き取り部に対して逆端部側から外出し画面部が筺体外に引き出せる開口部を筺体及びスライド溝に設け、前記巻き取り部には、表示部を巻き取る回転軸と巻き取った表示部を収納するフレキシブル表示部移動用スリットを有する筒部を設け、それらに嵌め込み収納したフレキシブル表示部の引き出し側端部には、引き出し易くする摘まみ部を、その逆端側の前記筒部の表示部移動用スリット部に外出し画面拡大限界位置にて表示の引き出しが止まるストッパーを設け、外出し画面の摘まみ部を引き出すことにより巻き取られた表示部が引き出され、それと同時に巻き取り軸が回転し、その軸の両端部に設けたゼンマイバネにバネ力が蓄積する方向にゼンマイバネの巻き方向を合わせ、巻き取り軸にゼンマイバネ巻き中心端部を固定し、他端部を筺体シャーシに固定する構造とすることにより、外出し画面の伸縮が行え、更に外出し画面拡大後、蓄積されたバネ力により表示部を自動的に巻き取り、外出し画面を縮小することを特徴とする画面伸縮型スマートフォン及び画面伸縮型タブレット。
【請求項８】
外出し画面の背面部に設けられ、その表示部を保持する第１の保持部とその保持部と対面する筺体の凹部に設けられ、外出し画面を引き出し後に浮き上がるバネ力に支えられ外出し画面引き出し後にその位置に引き出される巻き取られた表示部を保持する第２の保持部を有し、外出し画面と共に筺体外に引き出される第１の保持部の引き出し完了位置にて第２の保持部が完全に浮き上がり、第１の保持部と第２の保持部が同一面状態に並び、その時向かい合う両者保持部の端面部を傾斜面とし、引き出された外出し表示部を縮小させる時の押しこみスライド動作により、第１の保持部の傾斜面により第２の保持部の傾斜面が押し下げられる方向の傾斜面を設け、外出し画面の縮小完了時には、第１の保持部と第２の保持部が重ねり、筺体凹部に収まる構造とすることを特徴とする請求項７の画面伸縮型スマートフォン及び画面伸縮型タブレット。
【請求項９】
装置の上シャーシに固定されるハウジングに設けられたリブに回転可能に取り付けされた回転軸の両端付近に完全固定したピニオンを有し、その回転軸のピニオン間に回転軸をバネ力で回転させるゼンマイバネを設け、ピニオン外周のラックと噛み合う部分を除く外径の円盤部の円弧と同じ寸法の半円状の円弧部を有し、フレキシブル表示部を前記円弧に倣いＵ字曲げ状に曲げスライド可能にガイドし、ゼンマイバネを含む回転軸部を覆うガイドカバーを回転軸両端のピニオンを除くハウジングに取り付けモジュール化したピニオンモジュール及び、それを搭載する構造としたことを特徴とする請求項１〜６の画面伸縮型スマートフォン及び画面伸縮型タブレット。
【発明の詳細な説明】
【技術分野】
【０００１】  本発明は、装置外面に露出された画面の表示部に連続的に繋がり装置内に収納された表示部を外出しされた画面部をスライド式に引き出すことにより外出し画面の表示部に連続的に繋がっている表示部が引き出されることにより外出し画面を拡大し又元のサイズに縮小することができる画面伸縮型スマートフォン及び画面伸縮型タブレットに関する。
【背景技術】
【０００２】  携帯電話機は、折り畳み式、スライド式などの携帯時と使用時で形状を変え使用するタイプと現在主流となっているワンピースタイプの片面に画面を有するスマートフォンタイプが有り本特許は、このスマートフォンと更に画面を大型化した装置であるタブレットに係るものである。【０００３】  スマートフォン及びタブレットは、無線回線によりインターネット等に接続され携帯して必要な場所で多彩情報のやり取りが出来る現代社会に必須な携帯機器となっており、特に映像は、見るだけで多くの情報を得ることが出来ることから高品質の画像による情報の提供が可能なスマートフォン、タブレットをはじめとするマルチデバイスが好まれ急速に普及している。【０００４】  従来タイプのスマートフォン１及びタブレット６の装置構造について図１に基づいて説明する。
従来タイプのスマートフォン１は、装置上面の殆どの範囲に画面４を設け、両端の狭い範囲にマイク５とスピーカ３、カメラ２等を設け、電話機としての機能より小型パソコン及び画像情報端末としての装置機能を主とした構造となっており、従来タイプのタブレットタイプ６は、更に極端に画面４を拡大した構造であり、携帯性より画面機能を最優先させた装置となっている。【０００５】  従来タイプのスマートフォン１は、主にタッチパネル付きの画面４部、スピーカ３、マイク５、カメラ２等が筺体表面部に設けられ、内部に搭載された図示無しの制御回路部、無線回路及びバッテリー等により構成され、タブレット６は、大型の画面４が特徴であり、大型画面をタッチパネルにより操作し、その画像と音により個人のみならず、多人数の人に同時に多くの情報を伝えることが出来き、電話機としては、使い難い大きさである為、拡声受話方式等の通話装置を搭載されているものもある。【０００６】  しかしながら、スマートフォン１では、多くの多彩なユーザーがおり、携帯性を重視している為、画面の拡大に限界が有り、特に高齢者は、視力が劣り、また指先の動作が鈍くなる為、小さい画面でのタッチパネル操作がし難く、それを補う為にＡ４サイズまたは、Ｂ５サイズの大きなタブレットタイプ６の装置を使用していが装置が重く且つ大きすぎる形状の為、持ち歩くには鞄が必要となり、カタログ代わりに多くの情報を紹介する為、常に持ち歩き営業活動する営業マン等は、前者以上に携帯性が大きな負担となっている。【０００７】  この為、スマートフォンでは、画面サイズが不十分であり、タブレットタイプでは、携帯性が不十分となり、使用者に対する配慮不足が大きな欠点となっている。
【先行技術文献】
【０００８】
【特許文献１】  書類名；特開２００５−０１８４９２  公報
【特許文献２】  書類名；特開２００８−１８５８５３  公報
【特許文献３】  書類名；特開２００８−１５８７５８  公報
【発明の概要】
【発明が解決しようとする課題】
【０００９】  本発明は、以上の様な従来の欠点に鑑み、スマートフォンでは、使用時に画面の拡大が容易に出来る構造とし操作性及び視認性を改良し、タブレットは、装置を小型化し、使用時に通常の画面サイズに容易に拡大できる構造とすることにより携帯性を改善した画面伸縮型スマートフォン及びタブレットを提供する事を目的としている。
【課題を解決するための手段】
【００１０】  上記目的を達成する為に、本発明は、表示部の１部を外出し画面とし筺体外面に露出させ、その面をＵ字の１辺とする外出し画面の表示部と、それに続く残りの表示部をＵ字状に曲げ込み、外出し画面を筺体外に引き出し又は、押し戻し可能なスライド構造により筺体内に収納し、その筺体に前記Ｕ字状に曲げた表示部全体がスライド可能なＵ字状のスライド溝を設け、前記Ｕ字状曲げ部に対して、その逆端側から、外出し画面部が筺体外に引き出せる開口部を筺体及びＵ字状のスライド溝に設け、外出し画面引き出し後の筺体外出し画面部位置に外出し画面の引き出し動作に連動して装置内部に収納されている表示部を引き出し保持する空間を有する構造とし、フレキシブル表示部又は、タッチパネルを有するフレキシブル表示部の１部を外出し画面とし、その背面部にタッチパネル操作負荷に耐え得る保持部とスライド部を形成する硬質部材を有し、Ｕ字曲げ部と共に筺体内に収納された残りの表示部背面部には、それを保持しスライド部を形成する前記硬質部材に連結し、それと同じ厚さのＵ字形状曲げが可能なフレキシブル部材を有する表示部を外出し画面部が筺体外に引き出せる開口部を筺体及びＵ字状のスライド溝に設けた筺体にスライド可能に組み込み、外出し画面部を引き出し、画面拡大を完了した位置にてスライド溝と平行状態を維持する為に硬質部材のスライド部の一部が筺体スライド溝部に残る位置関係とし、外出し画面部引き出し後に空間となる筺体の外出し画面部に筺体内に収納されていた背面にフレキシブル部材を有する表示部を外出し画面の引き出し動作に連続して引き出し保持する平面部を引き出し前の外出し画面背面の硬質部材部に対面する筺体上シャーシに設けた構造とし、又、外出し画面の表示部と硬質部材は、接着材等により固定しスライド可能にスライド溝に嵌め込み、Ｕ字曲げ部を含む筺体内に収納された表示部と、その背面に設けたフレキシブル部材間は、曲げ易くする為に接着せずに個別パーツとし積み重ね状態にてスライド可能にスライド溝に嵌め込み保持する構造とする構造とし、外出し画面部のフレキシブル表示部とその背面に設けた硬質部材を除く、前記表示部と繋がるＵ字曲げ部を含む筺体内に収納された残りのフレキシブル表示部の背面に設けた前記硬質部材に連結した同じ厚さのフレキシブル部材のスライド方向に平行な両端部に穴または、凹部を連続的に複数設けラックとし、Ｕ字状に曲げられたフレキシブル表示部の背面に設けたフレキシブル部材の内側円弧の中心部に回転軸を設け、その軸の両端側の前記ラックと噛み合う位置に完全固定されたピニオンを設け、そのピニオンは前記Ｕ字状に曲げられたフレキシブル表示部のフレキシブル部材の略半円形状の内側円弧面に接する円盤とその円盤の外周に設けた複数のピン又は凸部により形成され前記ラックのＵ字曲げ部の複数の送り穴または、凹部が噛み合う構造とし、更にＵ字状に曲げられたフレキシブルの表示部の円弧の中心部に設けられた回転軸部にゼンマイバネを設け、その軸にゼンマイバネの巻き中心端部を固定し他端を筺体シャーシに固定し、ゼンマイバネの巻き方向は、収納されている表示部を引き出す時の回転軸の回転にてゼンマイバネ力が蓄積される方向に取り付けられて���る構造とし、外出し画面の表示部を保持する硬質部材の外出し画面の引き出し側の背面に画面縮小時のロック用凹を、その逆側の表示のＵ字曲げ部側に画面拡大時のロック用凹部を設け、それと対面する筺体シャーシの外出し画面引き出し側に設けた凹部にトーションバネ力により飛び出すロック爪を設け、画面拡大時と縮小時の位置にて前記凹部にロック爪が嵌まり込む関係とし、前記２箇所の嵌め合い位置により異なるゼンマイバネ力に対応して、外出し画面部の保持力を得ることが出来る異なる形状の２箇所の凹部を前記硬質部材に設けた構造の簡易ロック機構を有する。【００１１】  または、フレキシブル表示部あるいは、タッチパネルを有するフレキシブル表示部の１部を外出し画面として筺体外面に露出させ、その外出し画面部は、筺体外面と平行に筺体外に引き出し可能に収納され、前記外出し画面に連続する残りのフレキシブル表示部は、巻き取り及び、巻き戻し可能に巻き取り軸に巻かれ外出し画面引き出し側の逆端部の筺体に収納し、筺体は、外出し画面部がスライド可能なスライド溝を有し、外出し画面に連続する残りのフレキシブル表示部の巻き取り部に対して逆端部側から外出し画面部が筺体外に引き出せる開口部を筺体及びスライド溝に設け、前記巻き取り部には、表示部を巻き取る回転軸と巻き取った表示部を収納するフレキシブル表示部移動用スリットを有する筒部を設け、それらに嵌め込み収納したフレキシブル表示部の引き出し側端部には、引き出し易くする摘まみ部を、その逆端側の前記筒部の表示部移動用スリット部に外出し画面拡大限界位置にて表示の引き出しが止まるストッパーを設け、外出し画面の摘まみ部を引き出すことにより巻き取られた表示部が引き出され、それと同時に巻き取り軸が回転し、その軸の両端部に設けたゼンマイバネにバネ力が蓄積する方向にゼンマイバネの巻き方向を合わせ、巻き取り軸にゼンマイバネ巻き中心端部を固定し、他端部を筺体シャーシに固定する構造とし、外出し画面の背面部に設けられ、その表示部を保持する第１の保持部とその保持部と対面する筺体の凹部に設けられ、外出し画面を引き出し後に浮き上がるバネ力に支えられ外出し画面引き出し後にその位置に引き出される巻き取られた表示部を保持する第２の保持部を有し、外出し画面と共に筺体外に引き出される第１の保持部の引き出し完了位置にて第２の保持部が完全に浮き上がり、第１の保持部と第２の保持部が同一面状態に並び、その時向かい合う両者保持部の端面部を傾斜面とし、引き出された外出し表示部を縮小させる時の押しこみスライド動作により、第１の保持部の傾斜面により第２の保持部の傾斜面が押し下げられる方向の傾斜面を設け、外出し画面の縮小完了時には、第１の保持部と第２の保持部が重ねり、筺体凹部に収まる構造とする。【００１２】  また、装置の上シャーシに固定されるハウジングに設けられたリブに回転可能に取り付けされた回転軸の両端付近に完全固定したピニオンを有し、その回転軸のピニオン間に回転軸をバネ力で回転させるゼンマイバネを設け、ピニオン外周のラックと噛み合う部分を除く外径の円盤部の円弧と同じ寸法の半円状の円弧部を有し、フレキシブル表示部を前記円弧に倣いＵ字曲げ状に曲げスライド可能にガイドし、ゼンマイバネを含む回転軸部を覆うガイドカバーを回転軸両端のピニオンを除くハウジングに取り付けモジュール化したピニオンモジュールとする。
【発明の効果】
【００１３】  以上の説明から明らかな様に、本発明にあっては次に列挙する効果が得られる。
本発明は、表示部の１部を外出し画面とし筺体外面に露出させ、その面をＵ字の１辺とする外出し画面の表示部と、それに続く残りの表示部をＵ字状に曲げ込み、外出し画面を筺体外に引き出し又は、押し戻し可能なスライド構造により筺体内に収納し、その筺体に前記Ｕ字状に曲げた表示部全体がスライド可能なＵ字状のスライド溝を設け、前記Ｕ字状曲げ部に対して、その逆端側から、外出し画面部が筺体外に引き出せる開口部を筺体及びＵ字状のスライド溝に設け、外出し画面引き出し後の筺体外出し画面部位置に外出し画面の引き出し動作に連動して装置内部に収納されている表示部を引き出し保持する空間を有する構造とすることにより、スマートフォンでは、約２倍の大きさの表示部を約半分に曲げ収納出来る為、使用時の必要性に応じて外出し画面部を、通常のサイズの２倍レベルまでを拡大出来、携帯時は、縮小することにより通常の携帯性が確保で出来、タブレットでは、通常サイズの表示部を半分に曲げ収納出来る為、装置を現状サイズの１／２レベルまで小型化でき良好な携帯性を確保し、使用時は、通常サイズの装置画面に拡大し使用することができる。【００１４】  更に本発明は、フレキシブル表示部又は、タッチパネルを有するフレキシブル表示部の１部を外出し画面とし、その背面部にタッチパネル操作負荷に耐え得る保持部とスライド部を形成する硬質部材を有し、Ｕ字曲げ部と共に筺体内に収納された残りの表示部背面部には、それを保持しスライド部を形成する前記硬質部材に連結し、それと同じ厚さのＵ字形状曲げが可能なフレキシブル部材を有する表示部を外出し画面部が筺体外に引き出せる開口部を筺体及びＵ字状のスライド溝に設けた筺体にスライド可能に組み込み、外出し画面部を引き出し、画面拡大を完了した位置にてスライド溝と平行状態を維持する為に硬質部材のスライド部の一部が筺体スライド溝部に残る位置関係とし、外出し画面部引き出し後に空間となる筺体の外出し画面部に筺体内に収納されていた背面にフレキシブル部材を有する表示部を外出し画面の引き出し動作に連続して引き出し保持する平面部を引き出し前の外出し画面背面の硬質部材部に対面する筺体上シャーシに設けた構造とすることにより筺体外に引き出された外出し画面部と筺体外出し画面部に引き出された筺体内に収納されていた表示部が合わさり同一平面となり、タッチ操作の負荷に耐え得る強度を有する拡大された外出し画面を形成することができる。【００１５】  更に外出し画面の表示部と硬質部材は、接着材等により固定しスライド可能にスライド溝に嵌め込み、Ｕ字曲げ部を含む筺体内に収納された表示部と、その背面に設けたフレキシブル部材間は、曲げ易くする為に接着せずに個別パーツとし積み重ね状態にてスライド可能にスライド溝に嵌め込み保持する構造とすることにより、Ｕ字曲げによる内Ｒと外Ｒの曲率半径の差により発生する曲げ力を軽減し軽い引き出し又は押し込み力により外出し画面の伸縮操作が行える。【００１６】  また外出し画面部のフレキシブル表示部とその背面に設けた硬質部材を除く、前記表示部と繋がるＵ字曲げ部を含む筺体内に収納された残りのフレキシブル表示部の背面に設けた前記硬質部材に連結した同じ厚さのフレキシブル部材のスライド方向に平行な両端部に穴または、凹部を連続的に複数設けラックとし、Ｕ字状に曲げられたフレキシブル表示部の背面に設けたフレキシブル部材の内側円弧の中心部に回転軸を設け、その軸の両端側の前記ラックと噛み合う位置に完全固定されたピニオンを設け、そのピニオンは前記Ｕ字状に曲げられたフレキシブル表示部のフレキシブル部材の略半円形状の内側円弧面に接する円盤とその円盤の外周に設けた複数のピン又は凸部により形成され前記ラックのＵ字曲げ部の複数の送り穴または、凹部が噛み合う構造とすることにより外出し画面部の引き出し又は押し込み力によりフレキシブル表示部のフレキシブル部材に設けたラックが移動し、それ伴いピニオンが左右同時に回転する為、表示部の左右の捻じれが防止され、更にピニオンのピンによりフレキシブル表示部及びフレキシブル部材が円弧状態のまま回転移動する様にガイドされ、外出し画面側の表示直線部に対して逆側の表示直線部に外出し画面の引き出し方向又は、押し込み方向に対して１８０度異なる方向の引き出し力又は押し込み力を発生させることが出来る為、外出し画面の伸縮動作を滑らかに行うことができる。【００１７】  また、Ｕ字状に曲げられたフレキシブルの表示部の円弧の中心部に設けられた回転軸部にゼンマイバネを設け、その軸にゼンマイバネの巻き中心端部を固定し他端を筺体シャーシに固定し、ゼンマイバネの巻き方向は、収納されている表示部を引き出す時の回転軸の回転にてゼンマイバネ力が蓄積される方向に取り付けられている構造とすることにより、表示部を収納する方向では、そのバネ力により自動的に表示を収納する又は、収納力をアシストすることができる。【００１８】  また、外出し画面の表示部を保持する硬質部材の外出し画面の引き出し側の背面に画面縮小時のロック用凹を、その逆側の表示のＵ字曲げ部側に画面拡大時のロック用凹部を設け、それと対面する筺体シャーシの外出し画面引き出し側に設けた凹部にトーションバネ力により飛び出すロック爪を設け、画面拡大時と縮小時の位置にて前記凹部にロック爪が嵌まり込む関係とし、前記２箇所の嵌め合い位置により異なるゼンマイバネ力に対応して、外出し画面部の保持力を得ることが出来る異なる形状の２箇所の凹部を前記硬質部材に設けた構造の簡易ロック機構を有することにより、伸縮操作完了時のクリック感の発生、画面の伸縮位置の確保及び軽く押し込むとロックが解除され自動縮小動作をさせる等の操作を制御することができる。【００１９】  また、第二の実施形態の装置では、フレキシブル表示部あるいは、タッチパネルを有するフレキシブル表示部の１部を外出し画面として筺体外面に露出させ、その外出し画面部は、筺体外面と平行に筺体外に引き出し可能に収納され、前記外出し画面に連続する残りのフレキシブル表示部は、巻き取り及び、巻き戻し可能に巻き取り軸に巻かれ外出し画面引き出し側の逆端部の筺体に収納し、筺体は、外出し画面部がスライド可能なスライド溝を有し、外出し画面に連続する残りのフレキシブル表示部の巻き取り部に対して逆端部側から外出し画面部が筺体外に引き出せる開口部を筺体及びスライド溝に設け、前記巻き取り部には、表示部を巻き取る回転軸と巻き取った表示部を収納するフレキシブル表示部移動用スリットを有する筒部を設け、それらに嵌め込み収納したフレキシブル表示部の引き出し側端部には、引き出し易くする摘まみ部を、その逆端側の前記筒部の表示部移動用スリット部に外出し画面拡大限界位置にて表示の引き出しが止まるストッパーを設け、外出し画面の摘まみ部を引き出すことにより巻き取られた表示部が引き出され、それと同時に巻き取り軸が回転し、その軸の両端部に設けたゼンマイバネにバネ力が蓄積する方向にゼンマイバネの巻き方向を合わせ、巻き取り軸にゼンマイバネ巻き中心端部を固定し、他端部を筺体シャーシに固定する構造とすることにより、スマートフォンでは、約２倍の大きさの表示部を約半分に曲げ収納できる為、使用時の必要性に応じて外出し画面部を、通常のサイズの２倍レベルまでを拡大でき、携帯時は、自動的な画面縮小またはアシストが行え通常の携帯性及び良好な操作性が確保でき、タブレットでは通常サイズの表示部を半分に曲げ収納できる為、装置を現状サイズの１／２レベルまで小型化でき良好な携帯性を確保し、使用時は、通常サイズの装置画面に拡大し使用することができ、また画面縮小は、自動的縮小、又はアシストが行える為、良好な操作性が確保できる。【００２０】  また外出し画面の背面部に設けられ、その表示部を保持する第１の保持部とその保持部と対面する筺体の凹部に設けられ、外出し画面を引き出し後に浮き上がるバネ力に支えられ外出し画面引き出し後にその位置に引き出される巻き取られた表示部を保持する第２の保持部を有し、外出し画面と共に筺体外に引き出される第１の保持部の引き出し完了位置にて第２の保持部が完全に浮き上がり、第１の保持部と第２の保持部が同一面状態に並び、その時向かい合う両者保持部の端面部を傾斜面とし、引き出された外出し表示部を縮小させる時の押しこみスライド動作により、第１の保持部の傾斜面により第２の保持部の傾斜面が押し下げられる方向の傾斜面を設け、外出し画面の縮小完了時には、第１の保持部と第２の保持部が重ねり、筺体凹部に収まる構造とすることにより、筺体外に引き出された外出し画面部は、その裏面の硬質部材により保持され、筺体の外出し画面部のシャーシ面上に引き出された筺体内に巻き取られ収納されていた表示部は、その裏面部に浮き上がる第２の保持部に保持されることにより両者が合わさりタッチパネル操作時の負荷に耐え得る強度を有する同一面の拡大された外出し画面を形成することができ、更に巻取り部に収納される表示部を薄くすることができる為、収納し易く、そのスペースも削減でき装置の小型化及び薄型化をすることができる。【００２１】  また、装置の上シャーシに固定されるハウジングに設けられたリブに回転可能に取り付けされた回転軸の両端付近に完全固定したピニオンを有し、その回転軸のピニオン間に回転軸をバネ力で回転させるゼンマイバネを設け、ピニオン外周のラックと噛み合う部分を除く外径の円盤部の円弧と同じ寸法の半円状の円弧部を有し、フレキシブル表示部を前記円弧に倣いＵ字曲げ状に曲げスライド可能にガイドし、ゼンマイバネを含む回転軸部を覆うガイドカバーを回転軸両端のピニオンを除くハウジングに取り付けモジュール化したピニオンモジュールとすることにより��ニオン部の精度、性能が良く、低コストのピニオンモジュールとすることができ、更にそのモジュールを画面伸縮型スマートフォン及び画面伸縮型タブレットの筺体に搭載した構造とすることにより組立工数が削減でき、装置の製造性が向上し装置のコストダウンを行う事が出来る。
【図面の簡単な説明】
【００２２】
【図１】従来のスマートフォン及びタブレット装置外観斜視図を示す。
【図２】フレキシブル表示部のＵ字曲げ収納タイプの画面縮小状態の画面伸縮型スマートフォン及び画面伸縮型タブレットの装置外観斜視図を示す。
【図３】フレキシブル表示部のＵ字曲げ収納タイプの画面拡大状態の画面伸縮型スマートフォン及び画面伸縮型タブレットの装置外観斜視図を示す。
【図４】フレキシブル表示部のＵ字曲げ収納基本構造の画面伸縮型スマートフォン及び画面伸縮型タブレットの筺体部分カットの斜視図を示す。
【図５】フレキシブル表示部のＵ字曲げ収納形状を示す斜視図である。
【図６】フレキシブル表示部削除状態における筺体及びシャーシ部分カット斜視図を示す。
【図７】画面縮小状態の筺体及びシャーシの部分カット斜視図を示す。
【図８】画面拡大状態の筺体部分カット斜視図を示す。
【図９】画面拡大動作時のラックとピンオン部筺体部分カット斜視図を示す。
【図１０】画面縮小動作時のラックとピンオン部筺体部分カット斜視図を示す。
【図１１】回転軸に平行する装置断面図を示す。
【図１２】画面縮小時の回転軸に直交する装置断面図及びピニオン部拡大図を示す。
【図１３】画面拡大時の回転軸に直交する装置断面図及び引き出し画面保持部拡大図を示す。
【図１４】画面縮小時の回転軸に直交する装置断面図及びゼンマイバネ部の拡大図を示す。
【図１５】画面拡大時の回転軸に直交する装置断面図及びゼンマイバネ部の拡大図を示す。
【図１６】画面縮小ロック時の回転軸に直交する装置ロック部拡大断面図を示す。
【図１７】画面縮小からのロック解除時の回転軸に直交する装置ロック部拡大断面図を示す。
【図１８】画面拡大途中の回転軸に直交する装置ロック部拡大断面図を示す。
【図１９】画面拡大完了時の回転軸に直交する装置ロック部拡大断面図を示す。
【図２０】画面拡大からのロック解除時の回転軸に直交する装置ロック部拡大断面図を示す。
【図２１】画面縮小途中の回転軸に直交する装置ロック部拡大断面図を示す。
【図２２】ピニオン位置別案の回転軸に直交する装置断面図を示す。
【図２３】フレキシブル表示部巻き込みタイプの画面縮小時の装置外観斜視図を示す。
【図２４】フレキシブル表示部巻き込みタイプの画面拡大時の装置外観斜視図を示す。
【図２５】フレキシブル表示部巻き込みタイプの画面拡大時の巻き取り軸部部分カット斜視図を示す。
【図２６】巻き取り軸に直交する装置の画面拡大時の断面図を示す。
【図２７】巻き取り軸に直交する装置の画面縮小途中の断面図を示す。
【図２８】巻き取り軸に直交する装置の画面縮小時の断面図を示す。
【図２９】フレキシブル表示部巻き込みタイプ基本構造の巻き取り軸に直交する装置断面図を示す。
【図３０】ピニオンモジュールの装置組み込み状態図を示す。
【図３１】ピニオンモジュール構造図を示す。
【００２３】  本発明の最良な実施形態は、フレキシブル表示部のＵ字曲げ収納タイプの第１の実施形態とフレキシブル表示部巻き込みタイプの第２の実施形態の２つが有り、両者の相違点は、筺体外面に設けた外出し画面部を引き出し、それに連動して引き出される装置内部に収納している前記外出し画面部のフレキシブル表示部に連続する表示部の収納構造の違いによるものであり、その２つの実施形態について説明する。【００２４】  本発明の第１実施形態の画面伸縮スマートフォン７及び画面伸縮タブレット８の外観は、図２に示す様に、両者共に相似形状等の外観及び構造により構成することができるが外観形状は、この限りではない。【００２５】  現在使用されている装置サイズを例に本特許の実施形態のサイズについて説明する。
図１に示す従来のスマートフォン１は、携帯性を重視して縦約１４０ｍｍ、横幅約７０ｍｍ、厚さ約１０ｍｍ程度の装置サイズとなっており、図２に示す本特許の実施形態の画面伸縮型のスマートフォン７も同レベルの装置サイズとし、画面を図３に示す様に約２倍まで拡大でき、この時の横幅は、１４０ｍｍ程度とする構造としている。【００２６】  図１に示す従来のブレット６は、装置サイズが用紙サイズのＢ５の１８２ｍｍ×２５７ｍｍレベルとなっているが図２に示す様に本特許の実施形態の画面伸縮タブレット８は、携帯性を考慮して横幅２５７ｍｍの従来のタブレット６の１／２程度の大きさとし、使用時は、図３に示す様に通常のＢ５サイズレベルまで画面を拡大し使用できる構造となっている。【００２７】  第１実施形態の本装置は、フレキシブル表示部９をＵ字状に曲げ込み伸縮可能に収納した構造であり、主に外出し画面４の表示部と連続的に繋がりＵ字形状に曲げ込み収納されるフレキシブル表示部９、スピーカ３、マイク５、電池を含む回路部６０及びそれらを収納する筺体１０等により構成され、一般的なスマートフォン１又はタブレット６と同等な機能を有している。【００２８】  本装置の特徴は、図３の様に画面が拡大出来ることであり、外出し画面４の引き出し部１６を矢印２６の方向に引き出すことにより、外出し画面４が筺体１０の外部に移動し、それに連続的に結合され収納されているフレキシブル表示部９が筺体の外出し画面部に引き出されスマートフォンでは、約２倍の画面に拡大でき、タブレットでは、通常の約１／２の大きさの装置とすることにより携帯性を改善し、使用時は通常タブレットサイズの画面に拡大し使用することができることであり、前者を画面伸縮型スマートフォン７、後者を画面伸縮型タブレット８と呼ぶ。【００２９】  フレキシブル表示部９は、図４の様に表示の約１／２が外出し画面４として筺体外に露出し、その他は、上シャーシ２０の円弧シャーシ部７７に倣ってＵ字曲げ部１１の様に円弧状に曲げられ、外出し画面の下部の筺体内に収納されている。【００３０】  表示部は、フレキシブルに曲げることが可能な表示部であり、フィルムを使用したＬＣＤ、フィルムを使用したＥＬ等の表示部材を使用しており、その表示部は、２枚の薄フィルムに電極を設けその間に液晶物質又は有機物質を封入し、その物質に電気信号を負荷して表示機能を発生させる構造であり、ＥＬは、自ら発光することからバックラが不要でありフレキシブル性が優れておりこれらをフレキシブル表示部と呼ぶ。【００３１】  フレキシブル表示部９は、ＬＣＤ又はＥＬによる構造であり、その表面には、ハードコートされたフレキシブルのタッチパネルと呼ぶスイッチが積層され、指及びタッチペンとうで触ることにより操作することができ、ＥＬは、発光する為、暗部でもそのまま使用できるが、ＬＣＤは、バックライトを必要とする為、フレキシブル性を有するＥＬパネルを設けるか、フレキシブル表示部９の保持部又は筺体にバックライドを設け照光することにより使用できる。【００３２】  本装置のタッチパネルを有する表示部は、図５の様にＵ字状に曲げられ筺体に搭載されており、曲げ部１１の様にＵ字状に曲げられたフレキシブル表示部９と、その二つ��状のフレキシブル表示部９の片側平面部の裏面にその表示部を保持し、曲げ部１１の逆側端部に凸形状の縁部を有する引き出し部１６と表示部のＵ字状曲部に直交する両端部に設けたスライド部８８を有する硬質部材２７と、前記表示の平面部を除く曲げ部１１を含む残りの平面部の裏面にその表示部を保持し、曲げ部１１の逆側端部に表示部拡大スライド移動完了時のストッパー９３を有するフレキシブル部材２８により構成されている。【００３３】  硬質部材の保持部２７の範囲の表示部は、接着等により硬質部材に固定され、その強度によりタッチパネル操作が可能な押し圧に耐える強度を有し、周囲を引き出し部１６とスライド部８８により囲まれ保護されており、筺体外に引き出し可能にスライドできる構造となっている。【００３４】  Ｕ字曲げ部１１と残りの平面部を含む表示部の範囲は、フレキシブル部材２８が設けられており、フレ、フレキシブル表示部９と軟質保持部２８の合わせ面３１は、固定せずに重ねられた状態でＵ字状に曲げることにより、表示部とフレキシブル部材の両者の円弧差から発生するまげ抵抗力を削減することにより屈曲耐久性を向上することが出来る構造とし、硬質部材２７とフレキシブル部材２８の接合位置３０は、図１２の拡大部６９の様に外出し画面部４の平面部からＵ字状の曲げ部１１に切り替わる位置に設けている。【００３５】  外出し画面４の拡大は、図６の筺体１０に設けた引き出し用凹８２部に位置する外出し画面４の引き出し部１６を指で摘まみ矢印３９の方向に図６の筺体開口部９４より筺体１０の外部に引き出し、図５に示す硬質部材２７のスライド部８８の１部を図８及び図１３の拡大部６８に示す様に引き出し画面保持部３３を図６の筺体１０の外出し画面部スライド溝８０に残す位置関係とすることにより、拡大画面部を同一面状態に安定に保持できる構造としている。【００３６】  筺体１０は、主に図６の様に上筺体１７と下筺体１８及び外出し画面４及び引き出した表示部を保持する平面９９を有する上シャーシ２０と下シャーシ１９により構成され、それらの組み合わせ等により外出し画面４を筺体１０より外部に引き出すことが出来る筺体開口部９４と外出し画面部のスライド溝８０に設けた開口部１０１を有し、それに繋がる残りの表示部を収納するスライド溝８１を設け、その表示部を引き出し保持する外出し画面４の引き出し後に発生する空間１００を設けた構造としている。【００３７】  図４に示す構造は、最もシンプルな構造の実施例であり、フレキシブル表示部９を図４に示す様に上シャーシ２０と下シャーシ１９間に回路部６０等を収納した筺体１０にスライド可能に嵌めこむことにより、手動により引き出し部１６を引き出し又は押し込みすることにより外出し画面４を伸縮でき、任意の画面サイズとした位置にて自然停止させ使用出来る構造となっている。【００３８】  画面の伸縮動作は、装置運用時において滑らかに動く必要があるが、特に収納時の押し込み動作において、装置小型化のためフレキシブル表示部９をＵ字状に曲げ収納していることから押し込み力により曲げ部１１に発生する摩擦力及びスライド隙間等により表示が傾くことにより発生する摩擦力等によりスライドし難くなる為、この課題を解決する��ックとピニオンを用いた構造について説明する。【００３９】  画面を滑らかにスライド移動させる送り機構は、図８の様に外出し画面４の引き出し方向の矢印３９に直交する方向Ｕ曲げ部及び、図７の様にフレキシブル表示９をＵ字状に曲げるガイドとなる円弧リブ２１の外面の円弧中心５０に設けた回転軸２４とその軸と共に回転する様に完全固定されたピニオン１２と、それと噛み合うフレキシブル表示９を保持するフレキシブル部材２８に設けたラック１３により構成され、ピニオン１２は、図１１の様に回転軸２４の両端部のラック１３と噛み合う２箇所に設けられている。【００４０】  外出し画面４の拡大は、図８の様に筺体１０に設けた図６の引き出し用凹８２部に位置する外出し画面４の引き出し部１６を指で摘まみ矢印３９の方向に図６の筺体開口部９４より外出し画面４を引き出すことにより行い、その動作に連動して、図９の様に外出し画面４に繋がるフレキシブル表示部９のフレキシブル部材２８に設けられたラック１３が矢印４４の方向にスライド移動し、そのラック１３に外出し画面４の引き出し方向に直交する方向に筺体１０に設けられた回転軸２４に完全固定されたピニオン１２が噛み合い矢印４５の方向に回転することにより内部に収納していた表示部を外出し画面４の筺体外への引き出しにより発生する筺体１０の外出し画面部の空間１００に引き出すことにより、引き出した表示部と外出し画面４が合わさり画面を拡大することが出来る。【００４１】  又、外出し画面４の縮小は、図１０に示す様に拡大した外出し画面４の引き出し部１６を矢印４６の方向に押し込むとラック１３の送り穴１５が矢印９５の方向に移動し、噛み合っているピニオン１２のピン１４が動かされ回転軸２４が矢印４７の方向に回転する為、縮小時のフレキシブル表示９に押し込み力の偏りにより捩じれが発生しても最初に負荷された側の押し込み力に対してピニオン１２が回転し、それに完全固定されている回転軸２４が回り逆端に設けられたピニオン１２も同時に回転する為フレキシブル表示９は，捩じれることなく移動し、更に、図１２の拡大部６９に示す様に少なくも円弧部で接するラック１３とピニオン１２間にて噛み合っている複数のピン１４と送り穴１５によりフレキシブル表示９が円弧状態のまま図１０に示す様に左右同時に矢印４７の方向に回転移動し、更に矢印９５の押しこみ力と１８０度異なる矢印９６の方向に押し込み力が発生することにより曲げ部１１に発生する摩擦抵抗が殆ど無く、フレキシブル表示９は、図６の表示収納部のスライド溝８１を滑らかにスライド移動することが出来る。【００４２】  更に本装置は、拡大した外出し画面４状態からの縮小方向のスライド動作性を向上する為に、図１０の様に回転軸２４にゼンマイバネ２５を設け、画面引き出し時にそのバネ力を蓄える方向に取り付けることにより、画面縮小時に自動収納する構造又は、収納力をアシストし、更に滑らかに収納する構造とすることが出来る。【００４３】  本装置の外出し画面４の自動伸縮機構及びその制御機構について更に詳細に説明する。
本外出し画面４の自動縮小機構は、主に図１０に示す様に筺体外に引き出された外出し画面４と繋がっているフレキシブル表示部９のフレキシブル部材２８に設けたラック１３と、上シャーシ２０の円弧リブ２１に設けた軸穴２９に回転可能に通した回転軸２４とその回転軸２４に完全結合しているピニオン１２とその軸と上シャーシ２０に固定されたゼンマイバネ２５及びそのバネ力を制御し、開閉及び開閉途中の位置を確保するロック機構４０により構成されている。【００４４】  フレキシブル表示部９は、図１０及び図１１に示す様に上シャーシ２０に設けた複数の円弧リブ２１に倣いＵ字状に折り曲げ収納され、前記円弧リブ２１の円弧中心５０に設けた軸穴２９に回転軸２４を通し、その軸の両側２箇所にピニオン１２を設け、そのピニオン１２に設けた複数のピン１４とフレキシブル表示部９のフレキシブル部材２８に設けたラック１３の複数の送り穴１５と噛み合わせ送り出しスライド及び収納スライド移動に連動する機構となっている。【００４５】  図１４は、電池を含む回路部６０とＦＰＣＢ８３によりスライド移動可能に接続された外出し画面４及びそれに繋がっているフレキシブル表示部９をゼンマイバネ力により装置内に縮小させた状態であり、ゼンマイバネ２５は、蓄積したバネ力を略解放した状態であり、ゼンマイバネ２５は、図１４の拡大部７０に示す様に回転軸２４にゼンマイバネ２５の巻き中心側端部を外側端部は、上シャーシ２０に固定し、ゼンマイバネ２５の巻き方向は、図１５の拡大部７５の様に外出し画面４を引き出し拡大する時に巻き込む方向とし、外出し画面４の拡大操作によりバネ力を蓄え、拡大した外出し画面４を縮小する時の動作力としてバネ力を解放できる状態に取り付けることにより画面縮小時の自動収納又は、収納力のアシストをする機能を発生させる構造となっており、本特許の実施形態では、ゼンマイバネ２５を図１１の様に回転軸２４の両端２箇所に設けているがフレキシブル表示部９の引き出し、及び収納がスライド溝に平行に移動できるバランスで有れば円弧リブ間に複数個のバネを設けても良く、更に図示していないがゼンマイバネの巻き方向を逆にし、外出し画面を押しこむ時にゼンマイバネ力を蓄える構造とすることにより画面拡大を自動的に行う構造とすることも出来る。【００４６】  又、外出し画面自動縮小機構では、画面拡大時において常に画面を縮小する方向にゼンマイバネ力が作用している為、外出し画面最大拡大状態でロックし、画面縮小時にそのロックを解除する等の位置保持制御が必要となり、外出し画面縮小アシスト機構では、任意の拡大画面位置で停止できるレベルの摩擦力で保持し、軽い押し力を加えることにより縮小できる様にロック機構の保持力を制御する必要がり更に使い易さの向上のため最大拡大位置や最大縮小位置にてカチと音又は振動させるクリック感を出す等の制御をする必要が有り、その制御の為にロック機構４０を設けている。【００４７】  ロック機構４０は、図１０に示す様に外出し画面４の硬質部材２７と対面する筺体１０の上シャーシ２０の図６の引き出し用凹８２側に２箇所設け、そのロック機構用の凹部２２，３２を外出し画面４の図５硬質部材２７の裏面に各２箇所の合計４箇所設けてい���が、装置構造等によりその配置及び数量は、これに限定されるものではない。【００４８】  図１４の拡大部７１は、外出し画面縮小時のロック状態を示し、図１５の拡大部７４は、外出し画面拡大時のロック状態を示しており、筺体１０の上シャーシ２０の上面部に設けたロック機構４０のロック爪３７が外出し画面４の硬質部材２７の裏面に設けた外出し画面の縮小時凹３２と外出し画面の拡大時凹２２に嵌まり込むことにより外出し画面の縮小、拡大位置にてロックが掛る構造とし、図１０の様に２箇所に設けたゼンマイ２５バのネ力にバランス良く作用する２箇所の位置にロック機構４０を設けているが、バネ力に対してバランスの取れる位置、例えば前記２箇所の中央部に１箇所設けても良い。【００４９】  ロック機構４０は、図１６の様に筺体１０の上シャーシ２０に設けた凹３６に設けた軸４２とその軸にシーソー回転可能に取り付けたロック爪３７とその爪と対面している外出し画面４を保持している硬質部材２７に設けたロック用の拡大時凹２２及び縮小時凹３２とその凹部及び対面する硬質部材２７の面にロック爪３７を押しつけるトーションバネ４１により構成されており、本装置外出し画面４の伸縮操作機能に合わせ各部形状及びトーションバネ圧等を調整できる構造となっている。【００５０】  本装置に付加できる代表的な外出し画面の伸縮操作機能としては、図４に示す外出し画面４の伸縮操作を全て手動にて行う構造であり、ロック機構４０を使い装置の携帯時及び移動時に外出し画面部が移動しない様に外出し画面４の拡大、縮小位置にて簡易ロックにより保持し、位置確認のためクリック感を出す構造と、図１０の様に装置に外出し画面４の自動縮小機能の為のゼンマイバネ２５を搭載している場合は、外出し画面４の拡大、縮小位置にて働く縮小方向のゼンマイバネ力に対してそのまま保持できる強めの簡易ロック力を有するロック機構４０を設け押し込み動作によりロックを外すとその後は自動的に外出し画面４が収納出来る構造と、ゼンマイバネ２５の縮小方向バネ力に対して略等しい抵抗力をロック機構４０により与えることにより軽い押し込み力にバネ力が加わり外出し画面４を収納させることが出来るアシスト機能の等があり、前記構造では、ロック解除作業を押し込み、引き出し等のスライド動作の中で行う簡易ロック機構を使用しているが、ロック解除ボタン等のロック解除機構を設ける構造としても良い。【００５１】  図１６〜２１は、ゼンマイバネ力を使用した外出し画面４の自動縮小機構を有する装置の外出し画面完全縮小時から完全拡大時を経て完全縮小時までのロック機構４０の動作状態を示した図であり、そのロック機構４０のロック及び解除動作について説明する。【００５２】  図１６は、図１４に示す様に外出し画面４を完全に筺体１０内に収納した状態のロック機構４０拡大部７１であり、図１４ゼンマイバネ２５に蓄えたバネ力により外出し画面４を矢印４８の方向に自動的にスライドさせ完全に縮小した時のロック機構４０の状態を示しており、上シャーシ２０の凹に設けたロック爪３７がトーションバネ４１のバネ力により矢印５２の方向に押し上げられ対面する外出し画面４の硬質部材２７に設けられている縮小時凹３２に嵌り込んだ状態であり、完全縮小状態では、外出し画面４を完全に収納するバネ力としていることから外出し画面４には、弱い縮小方向のバネ力が残る為、外出し画面が自然に飛び出すことが無く、縮小位置確認のクリック感と引き出し易い弱いロック力となる傾斜面４９を有する浅い縮小時凹３２を設けた構造としている。【００５３】  図１７には、縮小した外出し画面４を矢印７２の方向にスライドし、外出し画面４を拡大する時の初期状態であり、外出し画面４縮小時の簡易ロックを解除する方法を示しており、外出し画面４の引き出し部１６を矢印７２の方向へ引き出すとロックされている硬質部材２７の裏面に設けた縮小時凹３２の傾斜面４９によりロック爪３７が矢印７３の方向に回転させられ縮小時凹３２より図１８の様に脱出し、外出し画面４の硬質部材２７の裏面に乗り、更に外出し画面４を拡大方向にスライド移動できる構造となっており、ロック解除時の引き出し力は、トーションバネ４１のバネ力と傾斜面４９の傾斜角度により調整してある。【００５４】  更に図１９は、図１５に示す様に外出し画面４を筺体１０から引き出した最大拡大位置におけるロック機構４０拡大部７４であり、外出し画面４を矢印６１の拡大方向にスライド移動することによりゼンマイバネ２５にバネ力を蓄え、拡大が完了した位置でロック爪３７がトーションバネ４１に押され矢印６２の方向に回転し硬質部材２７の裏面に設けた拡大時凹部２２に落ち込み簡易ロックが掛り、更にクリック感も得ることが出来る構造であり、そのロック力は、ゼンマイバネ２５に蓄えた縮小方向のバネ力以上の保持力となる様に拡大時凹部２２の傾斜面６３の角度を鋭角にし、更にトーションバネ力をアップしロック爪３７が拡大時凹部２２に引っかかる様に調整した構造としている。【００５５】  外出し画面４の拡大位置からのロック解除は、図２０の様に外出し画面４の引き出し部１６を画面縮小方向の矢印６５の方向へ押し込むと簡易ロックされている硬質部材２７の裏面に設けた拡大時凹２２の傾斜面６３によりロック爪３７が矢印６６の方向に回転させられ拡大時凹２２より図２１の様に脱出しロックが解除され、ゼンマイバネ力により外出し画面４を矢印３４の縮小方向に自動的にスライド移動する構造となっており、図１６の状態まで縮小しロックが掛る構造としている。【００５６】  手動伸縮機構は、スライド移動時に外出し画面４の硬質部材２７の背面にロック爪３７をトーションバネ４１により圧接しながらスライド移動させることにより任意の拡大又は縮小位置で停止又は保持ができ、拡大、縮小完了位置では、縮小時凹３２と拡大時凹２２にロック爪が落ち込み簡易ロックを掛け、クリック感が発生する構造となっている。【００５７】  以上説明した様にロック機構４０は、ロック爪３７の縮小時凹３２と拡大時凹２２へのトーションバネ４１の押しつけ力及び縮小時凹３２と拡大時凹２２の傾斜面４９と６３と４３と９７の角度調整等により手動伸縮機構、自動伸縮機構及びアシスト機構等の動作を制御することが出来る構造となっている。【００５８】  又、外出し画面４の自動縮小機構及び自動拡大機構のスライド移動速度の調整は、図１１に示す様にオイルダンパー８９等を回転軸２５と上シャーシ２０間に設けても良く、ロック機構は、完全に引っ掛け機構としロック解除ボタンを設け、ボタンを押すことによりロックを解除する構造とすることもできる。【００５９】  又、ピニオン位置は、図１２の様なＵ曲げ部円弧中心５０だけでなく、１例として図２２に示す様に外出し画面４の自動縮小用ゼンマイバネを有する装置のピニオン１０２は、フレキシブル表示部６のＵ字状曲げ部の外出し画面平面の逆側の平面側の付け根部付近に設け、ゼンマイバネ力によりフレキシブル表示部６を矢印１０３の収納方向に送り込むことにより外出し画面自動縮小機能を得ることが出来る。
よって、同様の機能が出せる位置で有ればピニオン搭載位置はこの限りでない。【００６０】  本発明の第２の実施形態のフレキシブル表示部９巻き取り構造の画面縮小時の外観を図２３に示す。
本装置は、スマートフォン及びタブレットのフレキシブル表示部９巻き取り機構５１を図２３に示す様に筺体円弧部に設け構造であり、そのパイプ状の空間にフレキシブル表示部９を巻き取る構造を有し、装置使用時には、図２４の様にマイク５及びスピーカ３等に影響せずに外出し画面４を矢印７６の方向に引き出し拡大出来、携帯時は、縮小出来る構造でとしている。【００６１】  フレキシブル表示部９の表示の巻き取り機構５１は、パイプ状空間の中心部に図２５の部分断面図の様にフレキシブル表示部９を巻き取るパイプ軸５４を有し、その軸５４の両端部には、自動的にフレキシブル表示部９巻き取るパイプ軸５４を回転させるゼンマイバネ２５を設け、その軸のフレキシブル表示取り付け部５９よりフレキシブル表示部９から引き出された接続ケーブル８４がパイプ軸５４の中空部内に入り、フレキシブル表示部９と電池を含む回路部間を接続するケーブ８４が通されている。【００６２】  本第２の実施形態の装置の外出し画面拡大構造は、表示の巻き取り機構５１に図２６〜２９の様にフレキシブル表示部９のみ巻き取り、その表示保持構造は、  上下可動する第２の保持部５５と外出し画面４の背面に固定されそれを保持する第１の保持部５７の二枚構造とし、外出し画面４の縮小時は、二重に積み重ねられ、外出し画面４の画面拡大時は、下側の上下可動する第２の保持部５５を保持バネ５６により浮き上がらせる構造とすることにより第２保持部５５と第１保持部５７の二枚の保持部を同一面状態に並ばせフレキシブル表示部６を保持する構造とすることにより、拡大した外出し画面４を同一平面とすることが出来る構造となっている。【００６３】  図２６は、上下可動する第２保持部５５と第１保持部５７の二枚の保持部により画面拡大時のフレキシブル表示部９を保持している状態を示しており、二重に収納された第２保持部５５と第１保持部５７の保持部は、外出し画面４を矢印７９の方向に筺体外に引き出すとその背面に固定されている第１保持部５７も同時に引き出され、それと同時にパイプ軸５４に巻き取れているフレキシブル表示部９が矢印８５の方向に回転し、外出し画面に連続して引き出されるとその背面に、第２保持部５５が浮き上がり、外出し画面拡大完了時に外出し画面４と引き出された表示部９の背面に、フレキシブル表示部９が同一面となる様に第２保持部５５と第１保持部５７が一直線上に並ぶ構造となっており、向かい合う両者の保持部の端面には、その動きをガイドする傾斜面６４が設けられている。【００６４】  図２７は、拡大した外出し画面４を約半分縮小した状態を示しており、外出し画面４の引き出し部１６を矢印８６の方向に押し込む又は、ゼンマイバネ力により矢印８７の方向に巻き込むことによりそれに固定されている第１保持部５７に設けられた傾斜面６４が上下可動する第２保持部５５に設けられた傾斜面上を滑り保持バネ５６により支えられている第２保持部５５を押し下げることにより第１保持部５７の収納スペースを確保する途中の状態であり、第２保持部５５が斜めに筺体凹５３内に押し込まれている。【００６５】  図２８は、拡大した画面が完全に縮小した状態であり、第１保持部５７と第２保持部５５が２段積み状態にて収納されており、外出し画面４の拡大は、外出し画面４に固定されている第１保持部５７の引き出し部１６を筺体外に引き出すことにより行う事が出来る。【００６６】  図２９は、構造がシンプルで有り薄型化に寄与する構造の実施例であり、筺体外に引き出された外出し画面部４部の範囲は、多少保持強度が下がるが筺体シャーシで保持できる範囲は、十分なタッチ操作が可能な構造となっている。【００６７】  本発明の第２の実施形態のフレキシブル表示部９巻き取り構造の外出し画面伸縮操作制御は、第１の実施形態のロック機構４０を設けることにより同様に制御することが出来る。【００６８】  本発明の第１及び２の実施形態のフレキシブル表示部９の送り機構の主の機構部であるピニオン部をモジュール化することによりピニオン部の精度、性能及び製造性が向上しモジュールのコスト削減ができ、更にそのモジュールを画面伸縮型スマートフォン及び画面伸縮型タブレットの筺体に組み込む構造とすることにより組立工数が削減できる為、装置の製造性が向上し装置のコストダウンを行う事が出来る。【００６９】  そのピニオンモジュール１０３は、図３０の様に装置筺体のフレキシブル表示部９のＵ字曲げ部に装置の上シャーシ２０に固定され搭載している。【００７０】  ピニオンモジュール１０３は、図３１の様に上シャーシ２０に固定されるハウジング１０６とそのハウジングに設けられたリブ１０５とそのリブに回転可能に取り付けた回転軸２４とその回転軸に完全固定したピニオン１２とそのピニオンを自動的に回転させ外出し画面４を縮小又は拡大するバネ力を与えるゼンマイバネ２５とゼンマイバネ２５及び回転軸２４等を覆うガイドカバー１０４等により構成されており、装置の上シャーシ２０に固定されるハウジング１０６に設けられたリブ１０５に回転可能に取り付けされた回転軸２４の両端付近に完全固定したピニオン１２を有し、その回転軸２４のピニオン１２間に回転軸２４をバネ力で回転させるゼンマイバネ２５を設け、ピニオン１２の外周のラックと噛み合う部分を除く外径の円盤部の円弧と同じ寸法の半円状の円弧部を有し、フレキシブル表示部９を前記円弧に倣いＵ字曲げ状に曲げスライド可能にガイドし、ゼンマイバネ２５を含む回転軸部を覆うガイドカバー１０４を回転軸両端のピニオン１２を除くハウジング１０６に取り付けモジュール化したピニオンモジュール１０３とすることによりピニオン部の精度、性能が良く、低コストのピニオンモジュール１０３とすることができ、更にそのモジュールを画面伸縮型スマートフォン及び画面伸縮型タブレットの筺体に搭載した構造とすることにより組立工数が削減でき、装置の製造性が向上し装置のコストダウンを行う事が出来る。
このピニオンモジュール１０３を図３０の様に装置筺体に組み込むことにより先に説明した本発明の第１の実施形態とまったく同様な外出し画面の伸縮機能有することが出来る。
また、本発明の第２の実施形態でも同様にフレキシブル表示部９の巻き取り部をモジュール化し装置筺体に組み込むことにより先に説明した本発明の第２の実施形態とまったく同様な外出し画面の伸縮機能有することが出来る。
【符号の説明】
【００７１】１    スマートフォン
２    カメラ
３    スピーカ
４    外出し画面
５    マイク
６    タブレット
７    画面伸縮スマートフォン
８    画面伸縮タブレット
９    フレキシブル表示部
１０  筺体
１１  曲げ部
１２  ピニオン
１３  ラック
１４  ピン
１５  送り穴
１６  引き出し部
１７  上筺体
１８  下筺体
１９  下シャーシ
２０  上シャーシ
２１  円弧リブ
２２  拡大時凹
２３  ゼンマイバネ軸固定部
２４  回転軸
２５  ゼンマイバネ
２６  矢印
２７  硬質部材
２８  フレキシブル部材
２９  軸穴
３０  接合部
３１  合わせ面
３２  縮小時凹
３３  引き出し画面保持部
３４  矢印
３５  ゼンマイバネシャーシ固定部
３６  凹
３７  ロック爪
３８  矢印
３９  矢印
４０  ロック機構
４１  トーションバネ
４２  軸
４３  傾斜面
４４  矢印
４５  矢印
４６  矢印
４７  矢印
４８  矢印
４９  傾斜面
５０  円弧中心
５１  巻き取り機構
５２  矢印
５３  筺体凹部
５４  パイプ軸
５５  第２の保持部
５６  保持バネ
５７  第１の保持部
５８  矢印
５９  フレキシブル表示取り付け部
６０  電池を含む回路部
６１  矢印
６２  矢印
６３  傾斜面
６４  ガイド傾斜面
６５  矢印
６６  矢印
６７  矢印
６８  拡大部
６９  拡大部
７０  拡大部
７１  拡大部
７２  矢印
７３  矢印
７４  拡大部
７５  拡大部
７６  矢印
７７  円弧シャーシ部
７８  矢印
７９  矢印
８０  スライド溝
８１  スライド溝
８２  引き出し用凹
８３  ＦＰＣＢ
８４  ケーブル
８５  矢印
８６  矢印
８７  矢印
８８  スライド部
８９  ダンパー
９０  上筺体
９１  下筺体
９２  ガイド突起
９３  ストッパー
９４  筺体開口部
９５  矢印
９６  矢印
９７  傾斜面
９８  表示部移動用スリット部
９９  平面
１００  空間
１０１  開口部
１０２  ピニオン
１０３  ピニオンモジュール
１０４  ガイドカバー
１０５  リブ
１０６  ハウジング
【図１】
2014072884.tif 000003
【図２】
2014072884.tif 000004
【図３】
2014072884.tif 000005
【図４】
2014072884.tif 000006
【図５】
2014072884.tif 000007
【図６】
2014072884.tif 000008
【図７】
2014072884.tif 000009
【図８】
2014072884.tif 000010
【図９】
2014072884.tif 000011
【図１０】
2014072884.tif 000012
【図１１】
2014072884.tif 000013
【図１２】
2014072884.tif 000014
【図１３】
2014072884.tif 000015
【図１４】
2014072884.tif 000016
【図１５】
2014072884.tif 000017
【図１６】
2014072884.tif 000018
【図１７】
2014072884.tif 000019
【図１８】
2014072884.tif 000020
【図１９】
2014072884.tif 000021
【図２０】
2014072884.tif 000022
【図２１】
2014072884.tif 000023
【図２２】
2014072884.tif 000024
【図２３】
2014072884.tif 000025
【図２４】
2014072884.tif 000026
【図２５】
2014072884.tif 000027
【図２６】
2014072884.tif 000028
【図２７】
2014072884.tif 000029
【図２８】
2014072884.tif 000030
【図２９】
2014072884.tif 000031
【図３０】
2014072884.tif 000032
【図３１】
2014072884.tif 000033